(57)【特許請求の範囲】
【請求項１】
取り入れた大気の湿度を所要の値に低減するための除湿管と、
上記除湿管から流出する大気に含まれる異なる捕集対象ガスをそれぞれ吸着捕集するための複数の捕集カラムとを有しているとともに、所定の高さ位置における大気を取り入れるための大気取入れ部を密封ケースの外部に立設したガス捕集部と、
上記複数のカラムを同時に吸引するための単一のダイアフラムポンプと、
下記の直流電源部から出力される直流を所要の周波数からなる交流に変換するインバーター制御を行うＤＣ−ＡＣ変換回路を有し、大気の吸引動作を所定の捕集期間にわたり継続して行わせるようにダイアフラムポンプを駆動制御する吸引制御部と、
この吸引制御部とダイアフラムポンプとに電力を供給する直流電源部とを密封ケース内に収容し、かつ、その密封ケース外から取り入れた大気の吸引動作を行うことを特徴とするガス捕集装置。
【請求項２】
大気取入れ部は、密封ケースの外部に着脱自在に装着された中空支持管内に、上端部に大気取入れ口を開口形成した大気取入れ用チューブを内装している請求項１に記載のガス捕集装置。
【請求項３】
大気の吸引流量を増減調整するためのキャピラリが、上記捕集カラム毎に配設されている請求項１又は２に記載のガス捕集装置。
【請求項４】
互いに異なる捕集期間に対応する長さ及び内径にした複数種類のキャピラリを、各捕集期間に対応して選択的に単一のダイアフラムポンプの吸入側又は排出側に着脱自在に装着している請求項３に記載のガス捕集装置。
【発明の詳細な説明】
【技術分野】
【０００１】
本発明は、大気中に含まれる捕集対象ガスを所定の捕集期間にわたり継続して捕集するガス捕集装置に関する。
【背景技術】
【０００２】
従来、化学物質を扱う事業所やその所管行政機関等は、その事業所等から大気に排出される化学物質であって毒性や関心の高い化学物質に対し、適切なサンプリング地点での濃度を測定することにより、基準値若しくは自主管理目標値等が守られていることを確認するとともに、必要に応じて地域住民に情報開示することが期待されている。
【０００３】
しかし、事業所近傍の適切な測定地点には給電設備がないことが多く、そのような地点での科学的裏づけに基づく説得力のある長期間（例えば１週間）にわたり、上記毒性や関心の高い化学物質を連続捕集して測定するための装置を、これを持ち運びできる重量、かつ、捕集時及び捕集後分析までの間に反応によるロス等がないように実現することは、従来の真空容器によるガス捕集や電池の対重量比容量の限界で実現されていない。
【０００４】
上記諸事情のために、自社の事業所から排出される大気をモニタリングするという企業の社会的責任や地元自治体の住民の安全確認は、多くの場合最低限の活動範囲に留まってしまうというのが現状である。
【０００５】
特許文献１に開示されたガス捕集装置は、携帯用エアポンプの吸気側に捕集用のインピンジャを設けて、測定ガスを溶液に吸収して分析する目的において、捕集した空気の体積をガスバルブが一杯になった体積に相当するように工夫することにより、装置の簡素化を狙っている。
従って、一回の測定で測れる空気の体積は、可搬型の場合せいぜい数リットルである。また、室内のホルムアルデヒド測定のような、やや高濃度のガス測定を想定したもので、５００リットル程度の大気を集めないと測定できない低濃度の大気モニタには原理的に対応しにくく、かつ屋外で１５０（ｃｍ）の高さの測定や長期間測定するための耐候性、信頼性については視野の外であった。
【特許文献１】特開平１０−１４８６０３号公報
【発明の開示】
【発明が解決しようとする課題】
【０００６】
また、１００（Ｖ）の交流電源を供給する給電設備がある場合には、長期間にわたる継続したガス捕集が可能ではあるが、設置場所の制限を受けるという問題がある一方、特許文献１に開示されたガス捕集装置では設置場所の制限は受けないものの、十リットル以下の空気のサンプル量では、最も説得力のある一週間以上の長期間のガス測定に必要なサンプル量を捕集できない。
【０００７】
さらに、大気（ガス）の捕集は、所定の高さ（通常１５０ｃｍ）位置において行われなければならないが、特許文献１に記載のものでは、所定の高さ位置において大気の捕集を行うことを想定していないために、空気取入れ口からインピンジャーまで空気を持ってくる際のチューブの壁面吸着や折れ曲がり等の問題点を解決することができない。
さらにまた、特許文献１に開示されたガス捕集装置では、屋外で一週間使用するのに必要な風雨に関する密閉性や転倒防止の工夫も記述されておらず、さらには屋外の測定地点までの運搬方法についての記述もない。
【０００８】
さらに、上記特許文献１に開示されたものの他、従来のガス捕集装置は、操作スイッチやメータが外部に露出した構造が一般的であり、密閉性を担保できないために雨水や埃に対しての防御が不十分である上、１週間以上の連続使用に耐えうる堅牢性を確保しにくく、しかもメンテナンスに労力を要するという欠点もある。
【０００９】
そこで本発明は、給電設備がない場所であっても、大気に含まれる特定の捕集対象ガスを長期間にわたり継続して捕集できるガス捕集装置の提供を目的としている。
【課題を解決するための手段】
【００１０】
上記課題を解決するための本発明に係るガス捕集装置は、取り入れた大気の湿度を所要の値に低減するための除湿管と、上記除湿管から流出する大気に含まれる異なる捕集対象ガスをそれぞれ吸着捕集するための複数の捕集カラムとを有しているとともに、所定の高さ位置における大気を取り入れるための大気取入れ部が密封ケースの外部に立設したガス捕集部と、上記複数のカラムを同時に吸引するための単一のダイアフラムポンプと、下記の直流電源部から出力される直流を所要の周波数からなる交流に変換するインバーター制御を行うＤＣ−ＡＣ変換回路を有し、大気の吸引動作を所定の捕集期間にわたり継続して行わせるようにダイアフラムポンプを駆動制御する吸引制御部と、この吸引制御部とダイアフラムポンプとに電力を供給する直流電源部とを密封ケース内に収容し、かつ、その密封ケース外から取り入れた大気の吸引動作を行うことを特徴としている。
【発明の効果】
【００１１】
本発明によれば、ガス捕集部を通じた大気の吸引動作を所定の捕集期間にわたり継続して行わせるようにエアポンプを駆動制御しているので、給電設備がない場所であっても、大気中に含まれる特定の捕集対象ガスを所定の捕集期間にわたり継続して捕集できる。
例えば、ＤＣ−ＡＣ変換回路によって数十（Ｖ）の交流に変換してエアポンプを駆動することにより消費電力の大幅な節減を実現しており、これにより、１０（ｋｇ）以下の小型の電池を使用しても、一週間以上の捕集動作を継続して行うことができる。
除湿管により、取り入れた大気の湿度を所要の値に低減することができる。これにより、例えばジクロロメタン等の沸点が低い物質であっても吸着容量の低下を防ぎ、十分な捕集を行うことができる。
【発明を実施するための最良の形態】
【００１２】
以下に、本発明を実施するための最良の形態について、図面を参照して説明する。図１は、本発明の一実施形態に係るガス捕集装置の概略構成を示すものであり、（Ａ）はその平面図、（Ｂ）はその一部を断面にして示す正面断面図、図２は、図１に示すガス捕集装置の接続関係を示すブロック図、図３は、図１（Ｂ）に包囲線Ｉで示す部分の拡大図である。
【００１３】
本発明の一実施形態に係るガス捕集装置Ａは、大気取入れ部Ｂを密封ケース１０外に立設しているとともに、エアポンプＣ、吸引制御部Ｄ、電源部Ｅ及びガス捕集部Ｆを上記密封ケース１０内に収容し、かつ、当該ケース１０外から取り入れた大気の吸引動作を行う構成のものであり、それらの詳細は次のとおりである。
【００１４】
密封ケース１０は、ケース本体１１に、これの開口１１ａを開閉するための蓋体１２を取り付けた構造になっており、例えばアルミニウム等の対候性の良好な材質により構成されている。
ケース本体１１は、詳細を後述するエアポンプＣ、吸引制御部Ｄ、電源部Ｅ及びガス捕集部Ｆを収容できる容量を備えたものであり、平面視方形の底壁１３の周囲に側壁１４〜１７を囲繞形成したものである。
【００１５】
蓋体１２は、周壁１５の上辺縁１５ａに開閉自在に取り付けられており、ケース本体１１の開口１１ａを密封するようになっている。「密封」とは水密的かつほぼ気密的に封止できるという意味であり、少なくとも所定の捕集期間において風雨や埃の悪影響がない構造にしている。
なお、少なくとも所定の捕集期間において風雨や埃の悪影響がない構造であれば、ケース１０を密封構造にしなくてもよい。
本実施形態における「所定の捕集期間」は、約一週間程度の期間を想定しているが、数日若しくは一週間以上の期間も含まれる。
【００１６】
ケース本体１１内は、２つの収容室α，βが区画形成される側壁１５，１７の中央位置に、区画板２０を上下方向ａで摺動自在に保持する互いに対となる保持用突起２１，２１が配設されている。
【００１７】
収容室α，βのうち、収容室αにはエアポンプＣ、吸引制御部Ｄ及び電源部Ｅが収容され、また、収容室βにはガス捕集部Ｆが収容されるとともに、運搬時においては分解された状態の大気取入れ部Ｂを収容するようになっている。
【００１８】
側壁１６の中央底部側には、大気取入れ用チューブＴを挿通するための円形の貫通孔１６ａが形成されているとともに、その貫通孔１６ａにはチューブガイド材３０が装着されている。
チューブガイド材３０は、貫通孔１６ａに嵌合された円筒形のガイド部材３１と、蓋部材３２とからなる。
【００１９】
ガイド部材３１は、これの内端３１ａをケース本体１１内に、また、外端３１ｂを当該ケース本体１１外にそれぞれ突出させられる全長に形成しているとともに、外端３１ｂの外周壁には蓋部材３２を螺合できる溝部（図示しない）が形成されている。
【００２０】
蓋部材３２は、基板３２ａの外周縁部に鍔部３２ｂを全周にわたり形成したものであり、基板３２ａの中央に大気取入れ用チューブＴを挿通するための挿通孔３２ｃが開口されている。
ガイド部材３１に大気取入れ用チューブＴを挿通した状態で蓋部材３２を、ガイド部材３１に螺合すると、気密的かつ水密的に大気取入れ用チューブＴを保持することができる。
【００２１】
上記側壁１６の外面には、詳細を後述する大気取入れ部Ｂを起立支持するための支持具４０，４１が、下記の中空支持管５０を起立保持できる所要の間隔をおいて固着されている。
【００２２】
大気取込み部Ｂは、密封ケース１０に着脱自在に装着された金属製の中空支持管５０内に、上端部に大気取入れ口Ｔａを開口形成した大気取入れ用チューブＴを内装したものである。大気取入れ口Ｔａは、本実施形態においては、図１に示すようにやや下向きに曲成した状態にして、雨水等が浸入することを防いでいる。
【００２３】
本実施形態における大気取入れ用チューブＴは、ガスが吸着しにくいフッ素系樹脂により形成したものであるが、これに限るものではなく、例えばガスの吸着が問題とならない場合や捕集対象ガスの種類によっては他の樹脂により形成してもよい。
【００２４】
フッ素系樹脂製のチューブは、柔軟性に欠けるために作業性が悪いものの、本実施形態においては、当該チューブの上端部の大気取入れ口Ｔａから基端部の着脱口Ｔｂまで繋ぎ目のない一連のものを採用している。
これにより、当該チューブの着脱箇所をガス捕集部Ｆの一部をなす除湿管６０との着脱箇所だけに限定するようにして、チューブの着脱によるトラブルを少なくしている。また、チューブを中空支持管５０に挿通することにより、当該チューブＴの大気取入れ口Ｔａを一定の高さ位置１．５（ｍ）に保持しているとともに、野外に露出する部分を極力少なくしている。
【００２５】
なお、フッ素系樹脂製のチューブの例えば外表面に、スパイラル状の連続した凹凸又は蛇腹形状の凹凸を形成することにより、当該チューブを中空支持管５０に柔軟に挿入しやすくすると同時に、除湿管６０との着脱動作の作業性を向上させることもできる。
【００２６】
中空支持管５０は、上記支持具４０，４１に基端部を支持されたときに、大気取入れ用チューブＴの大気取入れ口Ｔａの地表Ｇからの高さＨが１．５（ｍ）となる全長に形成されており、本実施形態においては３つの分割パイプを上下に連結することにより構成されている。
【００２７】
大気取込み部Ｂの一部をなす大気取入れ用チューブＴの着脱口Ｔｂには、大気取入れ部Ｂを通じて取り入れられた大気に含まれる捕集対象ガスを捕集するためのガス捕集部Ｆと、このガス捕集部Ｆを通じて大気を吸引する吸引制御部Ｄとが上流側から下流側に向けて順に連結されている。換言すると、大気の吸入経路に沿って上流側から下流側に向けて順に連結している。
【００２８】
図４は、区画板２０と、これに搭載配設されたガス捕集部Ｆの詳細を示す詳細説明図である。
雨天時等、相対湿度が７０（％）以上の状態が長時間続くとジクロロメタン等の沸点が低い物質は吸着容量が低下して十分な捕集ができなくなる。そこで、ガス捕集部Ｆを次のような構成とした。
【００２９】
ガス捕集部Ｆは、取り入れた大気の湿度を所要の値に低減するための除湿管６０と、この除湿管６０から流出する大気に含まれる異なる捕集対象ガスをそれぞれ吸着捕集するための２つの捕集カラム６１，６２とからなり、上記した区画板２０であって収容室βに臨む面２０ａに搭載配設されている。
【００３０】
除湿管６０は、所要の容量にしたガラス製の細長い円管体６３内に除湿剤を収容したものであり、円管体６３の一端部（上端部）には流入口６４が、また、他端部（下端部）には除湿後の大気を流出させるための流出口６５がそれぞれ形成されている。
流出口６５には、除湿後の大気を捕集カラム６１，６２に分岐させるための分岐具６６が連結されており、その分岐具６６と、捕集カラム６１，６２とは、連結チューブ６７，６８が配設されている。
【００３１】
除湿剤としては吸着性のあるシリカゲル、モレキュラーシーブ、炭酸カルシウム、塩化カルシウム，五酸化リンが知られているが、これらを用いると、大気中ガスの一部が吸着若しくは吸収によってロスすることが明らかになり、本実施形態においては、過塩素酸マグネシウムを用いることとした。
【００３２】
一方の捕集カラム６１は、所要の容量を有する円管体内に揮発性有機化合物類を吸着する活性炭系吸着剤を収容したもの、また、他方の捕集カラム６２は、所要の容量を有する円管体内にシリカの表面にDinitrophenyl hydrazine Hydrochloride (DNPH)が存在する捕集剤を充填したカートリッジを収容したものである。
なお、捕集剤としては、上記したものに限らず、必要に応じて他の捕集剤を組み合わせてもよい。
【００３３】
以上の構成により、一般的な揮発性有機化合物類から、アルデヒド類等の活性炭上で不安定な物質を同時に捕集することができる。換言すると、異なる種類の捕集対象ガスの捕集を同時に行うことができる。
【００３４】
ところで、上記した所定の捕集期間の終了後に上記捕集剤を取り出し、また、除湿剤を交換する必要があるが、ガス捕集部Ｆを区画板２０に搭載しているので、それらをまとめて取り出すことができ、その取扱いを容易に行えるようにしている。
また、大気取入り用チューブＴを除湿管６０から取り外すことにより、区画板２０をケース本体１１の外部に取り出せるようになる。これにより、捕集カラム６１，６２の回収作業や除湿管６０の交換作業を容易に行えるようになり、作業性の向上と誤操作等のトラブルを防ぐことができる。
【００３５】
エアポンプＣは所謂ダイアフラムポンプであり、本実施形態においては、２つの捕集カラム捕集カラム６１，６２に対する吸引動作を一台のポンプにより行っている。
具体的には、２つのダイアフラムを１つのモータ（いずれも図示しない）により駆動する構成になっており、各ダイアフラム毎に、換言すると各捕集カラム毎に排気口７１，７２と吸気口７３，７４とが設けられている。
本実施形態においては、２つの捕集カラム６１，６２に対する吸引動作を一台のポンプにより行うことにより、消費電力の大幅な削減を実現している。
【００３６】
キャピラリ８０は、大気の吸引流量を増減調整するためのものであり、上記した所定の捕集期間に対応する長さ及び内径にして形成されている。図５は、キャピラリにより大気の吸引流量を増減調整する原理を説明するための説明図である。表１（Ａ）は、ポンプ圧力とキャピラリの長さＬとの関係を示し、また、（Ｂ）は、流量Ｆと、キャピラリの長さＬとの関係を示している。なお、（Ｂ）に示すキャピラリと流量の関係は１００Ｖ運転時のものである。
【表１】
0005250244.tif 000002
【００３７】
図５に示すように、キャピラリ８０の長さをＬ（ｃｍ）、内径ｄ（ｍｍ）、流通する空気の線流速ｕ、キャピラリ８０の前後（両端面間）の圧力差ΔＰとの間には、次の関係式が成立する。なお、μＧ、ρＧはそれぞれ空気の粘度，密度である。
ΔＰ＝（３ρＧμ２）／４＋（３２μＧＬｕ）／ｄ２
ここで、捕集流量を決定すると、流通する空気の線流速ｕは内径ｄの関数となるため、上式はキャピラリ８０の長さＬと内径ｄの関数となる。
表１から明らかなように、キャピラリ８０の長さＬと内径ｄを、上記所定の捕集期間において、捕集カラム６１，６２に吸着される捕集対象ガスの量が最適となるように設定するのである。
本実施形態においては、互いに異なる所定の捕集期間に対応する長さ及び内径にした複数種類のキャピラリを用意しておき、それらを各捕集期間に対応して選択的にエアポンプの排出側、本実施形態においては、排気口に着脱自在に装着するようにしている。
なお、本実施形態においては示していないが、エアポンプの吸入側に着脱自在に装着しても同じ効果を得ることができる。
【００３８】
流量制御のための条件については、数１に示す式を用いて設計できる。
【数１】
0005250244.tif 000003
流量Ｆは、キャピラリの長さＬと内径ｄ、及びポンプ性能を示すΔＰ、流体、すなわち空気の物性μＧ、ρＧから求められるので、他の条件が一定ならば、長さＬと内径ｄの組み合わせの異なるキャピラリに交換して使用することで所定流量が実現する。
本発明の大気捕集装置運転において必要な流量は２００（ｍｌ／ｍｉｎ）以下であり、使用するポンプは差圧が３０，０００（Ｐａ）で十分である。従って、仮に上限となる２００（ｍｌ／ｍｉｎ）を流すとして、常温常圧における空気の物性及びポンプ差圧６０，０００Ｐａ、表１の式からキャピラリ長５０（ｍ）とすると、内径は１．２×１０−３（ｍ）となる。
キャピラリ長は５０（ｍ）を最大として任意であるから、長さの短縮に応じて内径は小さくなる。したがって、本装置におけるキャピラリは、長さ５０（ｍ）以下、内径は１．４×１０−３（ｍ）以下のものを使用すればよい。
キャピラリの材質としては、ガラス、ステンレス、フッ素系樹脂等のプラスチック、又はガスクロマトグラフィ等で使用されるキャピラリカラムを選択できる。
また、キャピラリを装置に組み込むときには、巻回して収納することも可能であり、この場合収納スペースを有効に活用できる。
長さについては、例えば巻回収納することことができるステンレスやフッ素系樹脂、キャピラリカラム等を考えた場合、容易に形状を変化させることにより例えば全長５０（ｍ）のものであっても装置内に組み込むことができる。また、ガラスカラム等であれば１（ｃｍ）程度まで短くすることも可能である。
数１を用いて設計したときの理論的流量と実測値は表１（Ｂ）に示すように非常によい一致を見ている。
また、本装置の流量安定性は表２に示すとおりであり、一週間捕集で３（％）未満の流量低下に収まっている。
【表２】
0005250244.tif 000004
【００３９】
・充電方法と動作時間
バッテリ（電源部）の充電はＧＳ製ＢＣ−３Ａ２−１２ＶＴにより行い、満充電からオートストップされるまで充電した。この時の電圧は約１３（Ｖ）となった。
ここから、インバータ、キャピラリを付加したエアポンプで運転を開始した際の電圧変化を表３に示す。
【表３】
0005250244.tif 000005
電圧は運転開始から穏やかに低下し、１週間で約１２（Ｖ）、２週間で約１１（Ｖ）になり、その後、１１（Ｖ）を下回った辺りから急速に低下し、４００時間弱で電圧が３（Ｖ）程度でエアポンプは停止した。よって、通常の鉛バッテリの性質から判断して、２００回程度は１週間捕集が可能であると推測される。
【００４０】
吸引制御部ＤはＤＣ−ＡＣ変換回路を有し、電源部Ｅから出力される直流を発振回路（図示しない）によって所要の周波数からなる交流に変換する機能、すなわち、所謂インバーター制御を行うことにより、エアポンプＣの回転を増減制御（可変）するものである。
具体的には、数十（Ｖ）の交流に変換してダイアフラムポンプを駆動することにより消費電力の大幅な節減を実現しており、これにより、１０（ｋｇ）以下の小型の電池を使用しても、一週間以上の捕集動作を継続して行うことができる。
「捕集動作を継続して行う」とは、連続した捕集動作の他、例えば一定の時間間隔で断続する捕集動作を含むものである。
なお、ＤＣ−ＡＣ変換回路と交流ポンプを用いる代わりに、直流電圧変換回路と適切な省電力直流ポンプを組み合わせて用いてもよい。
【００４１】
本実施形態においては、一週間程度の捕集期間と、二週間程度の捕集期間の二つの捕集期間に対応する切替えスイッチ（図示しない）が設けられており、必要に応じて切り替えられるようにしているが、予め定めた一つの捕集期間に対応したものとしてもよい。
なお、一週間以上継続して捕集した測定は、気候変動等の影響を受けにくく、かつ年に数回の定期的な測定を行うだけで、ほぼ１年間全体についてのモニタリングを代表できることが知られており、科学的裏づけに基づく説得力、及び費用対効果の諸点から効率的なデータの取得を行うことができる。
【００４２】
電源部Ｅは所謂Leadacid Batteryであり、上記したケース本体１１内の他方の収容室αの底壁１３上に載置固定されている。
＜電圧と流量の関係＞
本実施形態においては、１２（Ｖ）の直流バッテリを電圧変換をして、交流４０（Ｖ）程度で稼働している。そのため、１００（Ｖ）電源の使用時とエアポンプの基本性能が変化していることが考えられる。そこで、電圧と流量の変化について確認した。
１００Ｖ運転時に内径０．１８（ｍｍ）、長さ１（ｃｍ）のキャピラリを装着した場合、流量は８０（ｍｌ／ｍｉｎ）であった。１１．６〜１２．３（Ｖ）運転時の流量は同一のキャピラリで４８（ｍｌ／ｍｉｎ）であった。
これは運転電圧を４０（Ｖ）程度に低下させたために抵抗に対する駆動力が低下したため、上記流量とキャピラリの関係式におけるΔＰが小さくなった結果であると考えられる。一方、８．１（Ｖ）から１２．３（Ｖ）の範囲では流量変化は全く認められなかった。これはインバータによる出力電圧が安定していたためと推定される。
【００４３】
上記した吸引制御部Ｄは、電源部Ｅ上に載置した衝撃緩衝材９０上に、また、エアポンプＥは、その吸引制御部Ｄ上に載置した衝撃緩衝材９１上に配置されている。
【００４４】
本実施形態においては、捕集対象ガスの捕集時に、１５０（ｃｍ）という高い地点でのサンプリングを実現しているが、断面が円形で空気抵抗が小さい金属製の中空支持管５０を用いること、及び全体の重心が出来る限り低い位置になるように設計することにより、設置時の強風による事故・転倒を防止できる配慮がなされている。
本実施形態においては、地表Ｇから密封ケース１０の重心までの距離と、地表Ｇから大気取入れ口Ｔａまでの距離とを、想定される風に基づく外力の作用によって転倒しにくい比率にしている。具体的には、約１：８に設定しているが、それ以上の比率に設定するとさらに好適である。
【００４５】
以下に一実施例を示す。
電源部Ｅ：重さ９（ｋｇ）で重心位置が地表Ｇから９（ｃｍ）。
密封ケース１０：幅４３（ｃｍ）、奥行き２８（ｃｍ）、高さ４６（ｃｍ）の寸法で重量４（ｋｇ）、重心が地表Ｇから２４（ｃｍ）。
区画板２０：４００（ｇ）で重心が１８（ｃｍ）。
吸引制御部Ｄ：３００（ｇ）で重心の高さ２８（ｃｍ）。
エアポンプＣ：６００（ｇ）で重心高さが３２（ｃｍ）。
中空支持管５０：３００（ｇ）で重心が地表Ｇから８０（ｃｍ）。
上記の実施例について計算すると、大気取入れ用チューブＴ等のチューブ類の重量を無視したトータル重量は１４．６（ｋｇ）となり、全体の重心は設置面から１６（ｃｍ）の位置にあり、持ち運び可能な重量と転倒しにくい重心位置を実現している。
【００４６】
上述した構成からなるガス捕集動作について説明する。
大気取入れ部Ｂ、エアポンプＣ、吸引制御部Ｄ、電源部Ｅ及びガス捕集部Ｆを密封ケース１０内に収容した状態で測定地点に運搬する。上記したように、トータル重量を１４．６（ｋｇ）程度にすることができるので、運搬を容易に行うことができる。
【００４７】
密封ケース１０の区画室βに収容していた中空支持管５０を取り出して組み立て、ケース本体１１の側壁１６に固着されている支持具４０，４１に装着するとともに、その中空支持管５０に大気取入れ用チューブＴを挿通し、また、その着脱口Ｔｂを除湿管６０に連結する。これにより、ガス捕集の準備が完了する。
【００４８】
そして、吸引制御部Ｄの図示しないスイッチをオン操作すると、捕集動作が開始される。このとき、エアポンプＣは、吸引制御部Ｄにより大気の吸引動作を所定の捕集期間にわたり継続して行わせるように駆動制御される。
【００４９】
エアポンプＣの吸引力により取り入れられた大気は、大気取入れ部Ｂを通して、除湿管６０に導かれて水分が除去された後、２つの補集カラム６１，６２において捕集対象ガスが吸着捕集される。
【００５０】
また、エアポンプＣの排気側に設置されたキャピラリ８０，８０によって、捕集期間中に補集カラム６１，６２に吸着される物質の量が、測定に適切になるようになるように大気の吸引流量が制御される。
従って、１台の装置で、捕集期間を変えて測定する際もキャピラリを交換するだけで常に最適のサンプル量が吸着・捕集することができる。
【００５１】
また、ケース本体１１に蓋体１２が設けられているので、区画板２０の取り出し及び電池Ｅの充電作業をケース本体１１の上側から行うことができる。また、蓋体１２が下向きであることから、雨や埃がケース本体１１内部に侵入しにくくなっており、大気取入れ口Ｔａが下向きになっていること、蓋体１２が閉まった状態では開口が存在しないこととあわせて、水分・埃の侵入を防ぎ、野外使用でのメンテナンスの負担を軽減している。
【００５２】
次に、キャピラリの連結構造の他例について、図６を参照説明する。図６は、エアポンプの排気口に、複数のキャピラリを切替え器を介して接続した構成を示す説明図である。なお、上記した実施形態において説明したものと同等のものについては、それらと同一の符号を付して説明を省略する。
【００５３】
エアーポンプＣの排気口７１，７２には、互いに異なる捕集期間に対応する長さ及び内径にして形成されたキャピラリ８１〜８３が、それぞれ切替え器９０〜９２を介して連結されている。
【００５４】
この構成においては、捕集期間毎にキャピラリを取り替える作業を行うことなく、使用するキャピラリ８１〜８３の切替え器９０〜９２のいずれかを開き、また、他の切替え器９０〜９２を閉じればよい。
【００５５】
図７は、他例に係る大気取入れ用チューブと、側壁に形成したチューブ連結部を示す、上記図３に相当する部分拡大図である。
側壁１６には、他例に係る大気取入れ用チューブ１００を連結するためのチューブ連結部１１０が形成されている。
チューブ連結部１１０は、側壁１６の内外面に貫通形成された貫通孔１１１を中心として外方に突出して外側チューブ嵌合部１１２と、内方に突出して内側チューブ嵌合部１１３とからなる。
【００５６】
他例に係る大気取入れ用チューブ１００は、内側チューブ嵌合部１１３に外端部を、また、上記除湿管６０に内端部を連結する内側チューブ１０１と、外側チューブ嵌合部１１１に基端部を連結嵌合し、また、上端部に大気取入れ口１０２ａを形成した外側チューブ１０２とからなるものである。
【００５７】
以上の構成からなる大気取入れ用チューブ１００とチューブ連結部１１０によれば、内側チューブ１０１の内側チューブ嵌合部１１３に対する着脱作業と、外側チューブ１０２の外側チューブ嵌合部１１２に対する着脱作業とを別に行えるので、密封ケース１０の外側で行う作業と内側で行う作業とを分離することができ、上述した捕集カラム６１，６２や除湿管６０の着脱に伴うトラブルの発生をさらに防止することができる。
【００５８】
なお、本発明は上述した実施形態に限るものではなく、次のような変形実施が可能である。
・上記実施形態においては、除湿管を捕集カラム６１，６２に対して共用となっているが、それら捕集カラム６１，６２に対して、それぞれ専用として合計２本を用いる構成にしてもよい。
【００５９】
・上記実施形態においては、ガス捕集部、エアポンプ、吸引制御部及び電源部とをケース内に収容した例について説明したが、それらの構成に加えて、捕集流量を測定する流量測定部を組み込むようにしてもよい。
捕集流量を測定することには、瞬時流量のみ、積算流量のみ、瞬時流量と積算流量の双方の測定を含むものである。
具体的には、流量測定部を、実際の流量を確認するために吸引チューブの途中、例えば図１に示す捕集カラム６１，６２とエアポンプＣとの間に配設するが、当該配設位置に限るものではない。
流量測定部には、瞬時流量のみ、積算流量のみ、瞬時流量と積算流量の双方の測定を行える流量計を設置するが、これを制御部と連動させることも可能である。
また、ポンプと流量測定部及びこれと連動した制御部を一体化することも可能である。
【００６０】
上記実施形態においては、互いに異なる捕集期間に対応する長さ及び内径にした複数種
類のキャピラリを、各捕集期間に対応して選択的にエアポンプの排出側に着脱自在に装着
した例について説明したが、そのエアポンプの吸引側に着脱自在に装着してもよい。
具体的には、例えば図２に示すエアポンプＣと捕集カラム６１，６２の間の流路７５，７６に配設してもよい。また、エアポンプの排出側及び吸入側に上記のキャピラリを配設してもよい。
【００６１】
・上記の実施形態においては、密封ケースをアルミニウム製のものを採用することにより対候性を向上させた例について説明したが、密封ケースの外表面に公知の対候性塗料を塗布するようにしてもよい。
【図面の簡単な説明】
【００６２】
【図１】本発明の一実施形態に係るガス捕集装置の概略構成を示すものであり、（Ａ）はその平面図、（Ｂ）はその一部を断面にして示す正面断面図である。
【図２】図１に示すガス捕集装置の接続関係を示すブロック図である。
【図３】図１（Ｂ）に包囲線Ｉで示す部分の拡大図である。
【図４】区画板と、これに搭載配設されたガス捕集部の詳細を示す詳細説明図である。
【図５】キャピラリにより大気の吸引流量を増減調整する原理を説明するための説明図である。
【図６】エアポンプの排気口に、複数のキャピラリを切替え器を介して接続した構成を示す説明図である。
【図７】他例に係る大気取入れ用チューブと、側壁に形成したチューブ連結部を示す、上記図３に相当する部分拡大図である。
【符号の説明】
【００６３】
１０          密封ケース
５０          中空支持管
６１，６２    捕集カラム
７１，７２    排気口
８０          キャピラリ
１１０        大気取入れ用チューブ
Ｂ            大気取入れ部
Ｃ            エアポンプ
Ｄ            吸引制御部
Ｅ            電源部
Ｆ            ガス捕集部
Ｔ            大気取入れ用チューブ
Ｔａ          大気取入れ口
【図１】
0005250244.tif 000006
【図２】
0005250244.tif 000007
【図３】
0005250244.tif 000008
【図４】
0005250244.tif 000009
【図５】
0005250244.tif 000010
【図６】
0005250244.tif 000011
【図７】
0005250244.tif 000012